(57)【要約】      （修正有）【課題】十分に立体感を強調することができる建築板を提供する。【解決手段】矩形状の凸部１を上下左右に複数隣り合うように配置して形成される建築板に関する。凸部１は、対向する一対の端部に向かって下り傾斜する斜面２を有し、斜面２のうち少なくとも一方に、陰影形成構造４０が設けられている。陰影形成構造４０が突起部４であり、斜面２の傾斜方向に略直交する方向に設けられるリブ状突起である。突起部４の密度が、凸部１の中央部側から端部側に向かって高くなり、突出高さが凸部の中央部側から端部側に向かって高くなる。【選択図】図１
2015140595.tif 000002
【特許請求の範囲】
【請求項１】
矩形状の凸部を上下左右に複数隣り合うように配置して形成される建築板であって、
前記凸部は、対向する一対の端部に向かって下り傾斜する斜面を有し、
前記斜面のうち少なくとも一方に、陰影形成構造が設けられていることを特徴とする建築板。
【請求項２】
前記陰影形成構造が、突起部であることを特徴とする請求項１に記載の建築板。
【請求項３】
前記突起部が、前記斜面の傾斜方向に略直交する方向に設けられるリブ状突起であることを特徴とする請求項２に記載の建築板。
【請求項４】
前記突起部の密度が、前記凸部の中央部側から端部側に向かって、高くなることを特徴とする請求項２又は３に記載の建築板。
【請求項５】
前記突起部の突出高さが、前記凸部の中央部側から端部側に向かって、高くなることを特徴とする請求項２乃至４のいずれか一項に記載の建築板。
【発明の詳細な説明】
【技術分野】
【０００１】
本発明は、外装材等の建築板に関するものである。
【背景技術】
【０００２】
従来、外壁材、屋根材、塀材などの建築板は、建物の外観の形成を担うため、塗装により意匠模様が施されている。
【０００３】
近年、建築板に求められている意匠性は多岐に渡るようになってきており、建築板の表面に形成される意匠模様の更なる多様化を達成するための手法が求められるようになってきている。
【０００４】
そこで、例えば、複数の凹凸を有する建築板であって、インクジェット塗装により、表面に意匠模様が施された建築板が提案されている（特許文献１参照）。
【先行技術文献】
【特許文献】
【０００５】
【特許文献１】特開２００７−１７００１４号公報
【発明の概要】
【発明が解決しようとする課題】
【０００６】
しかし、建築板の板厚によっては、凹部と凸部の高低差に限度があり、十分な立体感を表現することはできないという問題があった。
【０００７】
本発明は上記の点に鑑みてなされたものであり、十分に立体感を強調することができる建築板を提供することを目的とするものである。
【課題を解決するための手段】
【０００８】
本発明に係る建築板は、矩形状の凸部を上下左右に複数隣り合うように配置して形成される建築板であって、前記凸部は、対向する一対の端部に向かって下り傾斜する斜面を有し、前記斜面のうち少なくとも一方に、陰影形成構造が設けられていることを特徴とするものである。
【０００９】
本発明において、前記陰影形成構造が、突起部であることが好ましい。
【００１０】
本発明において、前記突起部が、前記斜面の傾斜方向に略直交する方向に設けられるリブ状突起であることが好ましい。
【００１１】
本発明において、前記突起部の密度が、前記凸部の中央部側から端部側に向かって、高くなることが好ましい。
【００１２】
本発明において、前記突起部の突出高さが、前記凸部の中央部側から端部側に向かって、高くなることが好ましい。
【発明の効果】
【００１３】
本発明によれば、隣り合う凸部の間に形成される凹部に陰影形成構造を設けることにより、十分に立体感を強調することができる。
【図面の簡単な説明】
【００１４】
【図１】本発明に係る建築板の一例を示す正面図である。
【図２】図１の一部を拡大したものであり、（ａ）は正面図、（ｂ）は（ａ）のＡ−Ａ線断面図、（ｃ）は（ａ）のＢ−Ｂ線断面図である。
【図３】本発明に係る建築板の複数の例を示すものであり、（ａ）（ｂ）は一部を拡大した断面図である。
【図４】本発明に係る建築板のその他の一例を示す一部を拡大した断面図である。
【発明を実施するための形態】
【００１５】
以下、本発明の実施の形態を説明する。
【００１６】
本発明に係る建築板の一例を図１に示す。図１は、建築板を例えば外壁材として設置した際の正面図である。また、図２（ａ）は、図１の一部を拡大した正面図である。本発明に係る建築板は、矩形状の凸部１を上下左右に複数隣り合うように配置して形成される。建築板は、複数の凸部１が、縦目地部５を介して左右に隣り合って配置され、横目地部６を介して上下に隣り合って配置されることによって形成されている。なお、縦目地部５および横目地部６は、断面略逆台形形状の箱目地、突き付け状のＶ目地など、通常の目地形状を採用することができる。縦目地部５及び横目地部６は面一に形成することができる。
【００１７】
凸部１は、対向する一対の端部に向かって下り傾斜する斜面２を有する。すなわち、凸部１の左側の端部に向かって傾斜している左斜面２ａ及び右側の端部に向かって傾斜している右斜面２ｂを有する。本明細書では、左斜面２ａ及び右斜面２ｂを、斜面２ということもある。左斜面２ａ及び右斜面２ｂのうち少なくとも一方に、陰影形成構造４０が設けられている。陰影形成構造４０とは、当該構造に光が当たった場合に影を形成することができるような構造（形状）を意味する。
【００１８】
建築板の形状は、略矩形状であってよい。建築板の大きさは特に限定されないが、例えば、左右方向の長さが０．５〜３．５ｍ、上下方向の長さが０．３〜１．０ｍ、厚みが０．６〜６ｃｍである。
【００１９】
正面視において、凸部１の大きさは、特に限定されないが、例えば、横が２．５〜５０ｃｍ、縦が１．０〜２０ｃｍである。また、凸部１の高さは高ければ高いほど好ましいが、一般的な建築板の厚みを考慮すると、例えば、２〜１０ｍｍ程度にすることができる。凸部１の高さとは、建築板の厚み方向において、縦目地部５又は横目地部６からの突出高さを意味する。なお、本明細書では、建築板を施工した際に、正面視においての建築板の左右方向を凸部１の左右方向、建築板の上下方向を凸部１の上下方向という。
【００２０】
図２（ｂ）（ｃ）、図３（ａ）（ｂ）のように、凸部１は、上面７、下面８、上面７と下面８の間の頂部３、左斜面２ａ、右斜面２ｂとを有する。左斜面２ａは頂部３から左側に向かって傾斜し、右斜面２ｂは頂部３から右側に向かって傾斜している。
【００２１】
凸部１において、頂部３、左斜面２ａ、右斜面２ｂのそれぞれの横の長さ比率は適宜設定され、例えば、１：１〜３：１程度である。凸部１の左右方向における頂部３の中心位置は、適宜設定され、図３（ａ）（ｂ）のように凸部１の中心位置と一致していてもよく、凸部１の中心位置から左右にずれていてもよい。
【００２２】
凸部１の上面７及び下面８は、平面に形成することができる。また、凸部１の上面７は、水平に形成されていてもよく、図２（ｃ）のように、上面７は、傾斜していてもよい。凸部１の下面８は、水平に形成されていてもよく、図２（ｃ）のように、傾斜していてもよい。
【００２３】
図３（ａ）（ｂ）のように、凸部１は、頂部３、左斜面２ａ、右斜面２ｂとが平面で形成され、上下方向から見た断面の形状が、略台形であってもよい。また、図２（ｂ）のように、頂部３、左斜面２ａ、右斜面２ｂが、曲面で形成されていてもよい。頂部３、左斜面２ａ、右斜面２ｂとの間は、角を有していてもよく、角を有さずに滑らかにつながっていてもよい。滑らかにつながっているとは、曲線で形成される波状であることを意味する。また、左右に隣り合う凸部１の間の縦目地部５は、滑らかな曲線で形成される曲面であってよく、平面であってもよい。
【００２４】
凸部１には、左斜面２ａ及び右斜面２ｂのうち少なくとも一方に、陰影形成構造４０が設けられている。光が陰影形成構造４０に当たり、影が形成されることにより、観る人に凸部１がより突出しているように視認させることができ、立体感を強調することができる。また、観察者が建築板を観る角度、光の差し込む角度、太陽の高度、季節による日差しの強さなどの変化により、陰影形成構造４０の影が形成される位置や、陰影の濃さなどが変化する。これらは塗装では表現しきれない変化であり、陰影形成構造４０によって意匠性を向上させることができる。
【００２５】
陰影形成構造４０は、斜面２の少なくとも下部領域に設けられていることが好ましく、少なくとも端部付近に設けられていることがさらに好ましい。陰影形成構造４０は、斜面２の上部領域にも設けられていてよい。なお、斜面２の中心付近から頂部３側を上部、斜面２の中心付近から端部側を下部という。
【００２６】
陰影形成構造４０としては、突起部、溝部、細かなシボなどを採用することができ、これらのうち１種類のみを用いてもよく、２種類以上を組み合わせてもよい。陰影形成構造４０は、陰影形成構造４０によって形成される陰影が、凸部１の中央部側から端部側に向かって濃くなるように設けられることが好ましい。これにより、観る人に凸部１がより突出しているように視認させることができ、より立体感を強調することができる。
【００２７】
陰影形成構造４０を用いて、凸部１の中央部側から端部側に向かって陰影を濃くする方法としては、例えば、陰影形成構造４０の配設密度を、凸部１の中央部側から端部側に向かって、高くする方法が挙げられる。また、陰影形成構造４０が、突起部４である場合は、陰影形成構造４０の突出高さを、凸部１の中央部側から端部側に向かって、だんだん高くする方法でもよい。また、陰影形成構造４０が溝部である場合は、凸部１の中央部側から端部側に向かって、陰影形成構造４０の溝深さをだんだん深くしたり、溝部の幅をだんだん広くしていく方法でもよい。また、陰影形成構造４０が突起部４と細かなシボとの組み合わせの場合は、斜面２の上部領域に細かなシボを設け、斜面２の下部領域に突起部４を設ける方法でもよい。
【００２８】
陰影形成構造４０としては、突起部４を用いることが好ましく、突起部４であれば、より陰影を形成しやすくなる。図１〜図４では、突起部４のみを用いた陰影形成構造４０が設けられた凸部１を有する建築板について説明するが、陰影形成構造４０はこの構造に限定されない。
【００２９】
図３（ａ）のように、突起部４は、左斜面２ａ及び右斜面２ｂの両方に設けられていることが好ましい。これにより、建築板に光が当たると、突起部４によって斜面２に影が形成され、観る人に凸部１がより突出しているように視認させることができ、立体感を強調することができる。また、頂部３と斜面２の縦の長さが同じ凸部１であっても、突起部４の影によって、頂部３の縦の長さよりも斜面２の縦の長さが長くなっているように錯覚させることもでき、凸部１がより突出しているように視認させることができ、立体感を強調することができる。突起部４は、左斜面２ａにのみ設けられていてもよく、図３（ｂ）のように右斜面２ｂにのみ設けられていてもよい。隣り合う凸部１の間に形成される凹部において、左右の斜面２の少なくとも一方に、複数の突起部４が設けられていることが好ましい。
【００３０】
突起部４の左右方向の幅は、適宜設定されるが、例えば、０．２〜３ｍｍにすることができる。突起部４の突出高さは、０．２ｍｍ以上であることが好ましい。この範囲であれば、陰影を形成しやすく、より立体感を強調することができる。突起部４の突出高さは適宜設定されるが、一般的な建築板の厚みから、突起部４の突出高さの上限値は、例えば、２ｍｍ程度である。突起部４の突出高さとは、凸部１の表面からの高さを意味する。
【００３１】
突起部４は、リブ状の突起であることが好ましい。突起部４がリブ状の突起であれば、陰影を形成しやすいため、突起部４の凹凸を強調しやすく、より立体感を増大させることができる。リブ状の突起は、斜面２の傾斜方向に略直交する方向に設けられていることが好ましい。斜面２の傾斜方向に略直交する方向に設けられるリブ状の突起は、凸部１の上下方向全長に渡って設けられていることがさらに好ましい。これによって、より陰影を形成しやすくなり、立体感をさらに増大させることができる。突起部４は、細かな突起であってもよい。細かな突起としては、梨地調やスタッコ調の突起などが例示される。
【００３２】
凸部１に突起部４を形成する方法としては、例えば、凸部１と一体成形してもよく、凸部１の成形後に切削加工によって形成してもよい。また、突起部４が細かな突起である場合、砂等の粒子を散布して定着させることによって形成してもよい。
【００３３】
斜面２において、図２（ｂ）のように、突起部４の密度が、凸部１の中央部側から端部側に向かって、高くなることが好ましい。これにより、凸部１に光が当たった場合に、凸部１の斜面２において、凸部１の中央部側から端部側に向かって突起部４による影がだんだん濃くなる。そのため、観る人に、凸部１がより高く突出しているように視認させることができ、建築板の立体感を強調させることができる。なお、突起部４の密度とは、突起部４を配設する密度を意味する。
【００３４】
斜面２において、図２（ｂ）のように、突起部４の突出高さが、凸部１の中央部側から端部側に向かって、高くなることが好ましい。これにより、凸部１に光が当たった場合に、凸部１の斜面２において、凸部１の中央部側から端部側に向かって突起部４による影が濃くなる。そのため、観る人に、凸部１がより高く突出しているように視認させることができ、建築板の立体感を増大させることができる。また、図２（ｂ）のように、斜面２において、突起部４の密度が、凸部１の中央部側から端部側に向かって、高くなると共に、突起部４の突出高さが、凸部１の中央部側から端部側に向かって、高くなることがさらに好ましい。これにより、建築板の立体感をさらに強調させることができる。
【００３５】
陰影形成構造４０は、突起部４のみで形成されていてもよく、複数種類を組み合わせて形成してもよい。例えば、突起部４の間には、必要に応じて、突起部４よりも微細な凹凸を設けてもよい。微細な凹凸は、細かなシボであってもよく、筋状であってもよい。突起部４の間に突起部４よりも微細な凹凸を設けることで、建築板の立体感をより増大することができる。例えば、斜面２には突起部４が設けられ、頂部３には、突起部４よりも微細な凹凸が設けられていてもよい。
【００３６】
図２（ｂ）や図３（ａ）（ｂ）のように、頂部３の表面は、平坦であることが好ましい。これにより、凸部１に光が当たった場合に、斜面２の陰影形成構造４０による影が強調され、凸部１がより高く突出しているように視認させることができ、建築板の立体感を増大することができる。また、図４のように、頂部３には、陰影形成構造４０が設けられていてもよい。頂部３に陰影形成構造４０が設けられる場合は、頂部３の陰影形成構造４０によって形成される影が、斜面２の陰影形成構造４０によって形成される影よりも薄くなるように、陰影形成構造４０が設けられていることが好ましい。例えば、図４のように、頂部３の陰影形成構造４０が突起部４ｂである場合は、頂部３の突起部４ｂは、斜面２の突起部４よりも、密度が低いことが好ましく、突出高さが低いことが好ましい。これにより、頂部３よりも斜面２の陰影形成構造４０が強調され、建築板の立体感を増大することができる。
【００３７】
縦目地部５の左右に陰影形成構造４０を設けることが好ましい。これにより、縦目地部５を強調することができ、曲面タイルを連想させやすくなる。また、左右に隣り合う凸部１の間の凹部を強調することができるため、立体感を増大させることができる。縦目地部５の左右に設けられる陰影形成構造４０は突起部４ａであることが好ましい。突起部４ａは、他の突起部４よりも突出高さが高いことが好ましい。これにより、より縦目地部５を強調することができる。
【００３８】
凸部１の配置方法は、特に限定されるものではないが、立体感を強調させることができる点で、図１に示すように、千鳥状に配置することが好ましい。凸部１を千鳥状に配置することにより、上の列の凸部１の頂部３と下の列の凸部１の頂部３とが、左右方向で重なりにくくなる。これにより、建築板に上方から光が当たった場合に、上の列の凸部１の影が、下の列の表面に形成されやすく、立体感を強調することができる。また、上の列の凸部１の頂部３の影と、下の列の凸部１の陰影形成構造４０の影が合わさって、上の列の凸部１の下により大きな影を形成しやすくなる。これにより、観る人に、上の列の凸部１が実際より高く突出しているように視認させることができ、建築板の立体感をより増大させることができる。
【００３９】
凸部１は、上下に隣り合った凸部１の縦目地部５が一直線になるように、配置してもよい。この場合、上の凸部１の頂部３と下の凸部１の頂部３とが左右方向で完全に一致しないようにすることが好ましい。その方法としては、例えば、上の凸部１の頂部３と下の凸部１の頂部３の中心位置が左右方向でずれるような形状の凸部１を上下に配置したり、頂部３の横の長さが異なる凸部１を上下に配置したりすることができる。これにより、上方から光が当たった場合に、上の凸部１の影が下の凸部１の表面に形成されやすく、立体感を強調することができる。
【００４０】
凸部１の配置方法としては、同じ大きさの凸部１を複数配置してもよく、横の長さが異なる凸部１が混在していてもよく、縦の長さが異なる凸部１が混在していてもよい。例えば、横の長さが同じ凸部１が左右方向に一列に形成され、横目地部６を介して上下の列に、横の長さが異なる凸部１を左右方向に一列に形成している建築板であってもよい。これにより、建築板に光が当たった場合に、光がどの角度で当たっても、建築板の表面上に凸部１による影が不規則に形成されやすくなり、凸部１による凹凸を強調することができ、意匠性を向上させることができる。
【００４１】
また、縦の長さが異なる凸部１を左右に隣接して一列に配置して建築板を形成してもよい。すなわち、横目地部６の上下の幅は、建築板の左右方向に一定であってもよく、一定でなくてもよい。また、建築板において、横目地部６の上下幅が左右方向に一定である列と、一定でない列とが混在していてもよい。横目地部６の上下の幅は、特に限定されないが、例えば、１．５〜１０ｍｍである。
【００４２】
また、縦の長さ、横の長さ、高さが異なる凸部１をランダムに配置してもよいが、左右方向に位置する凸部１は、その縦の長さを略同等とするのが好ましい。
上記の建築板は、例えば、セメント硬化物で形成される窯業系基板、合板などの木質系基板、ステンレス剛板などの金属系基板、樹脂基板等として得ることができる。
【００４３】
建築板の表面には、塗装を施してもよい。塗装方法としては、ロールコータ塗装、スプレー塗装、インクジェット塗装等を用いることができる。塗装は、例えば、単色塗装であっても、頂部３と斜面２とを塗り分ける２色塗装であってもよい。
【００４４】
従来、ロールコータ塗装等で、凹凸を有する建築板の凸部と凹部とを塗り分ける２色塗装では、凸部の形状が、曲線状である場合は、凸部と凹部との境界がわかりにくく、２色の塗り分けが困難であった。しかし、本発明に係る建築板では、斜面２に陰影形成構造４０が設けられているため、陰影形成構造４０を目印として、２色の塗り分ける境界がわかりやすくなる。また、陰影形成構造４０が突起部４である場合、突起部４が設けられていることにより、突起部４が設けられていない建築板よりも、頂部３から斜面２にかけての高さの変化が少なく、塗装ローラーが突起部４に接触するため、塗装がしやすくなる。
【符号の説明】
【００４５】
１  凸部
２  斜面
４  突起部
４０  陰影形成構造
【図３】
2015140595.tif 000003
【図４】
2015140595.tif 000004
【図１】
2015140595.tif 000005
【図２】
2015140595.tif 000006